(57)【特許請求の範囲】
【請求項１】
基材テープ上に転写層を設けた転写テープと、
この転写テープを巻いた供給リールと、
この供給リールより供給される転写テープをテープ通過部に通して、転写テープのうち、上記転写層を基材テープから剥離しながら被転写材へ転写させる感圧用ヘッドと、
転写使用後に残った基材テープを巻き取る巻取リールとを器体に装備してある感圧転写具において、
感圧用ヘッドにはヘッド先端から突出できる感圧用の転写ヘッドを着脱自在に設けてあり、転写ヘッドの転写部の幅を感圧用ヘッドのテープ通過部の幅より小さく形成してあるとともに、感圧用ヘッドの器体への保持部にはリブ状の安定部材を突設してあることを特徴とする感圧転写具。
【請求項２】
感圧用ヘッドには、転写部の幅が異なる転写ヘッドを交換可能なように着脱自在に設けてあることを特徴とする請求項１記載の感圧転写具。
【請求項３】
転写ヘッドには、両端に幅の異なる感圧用の転写部が突出形成されていて、転写部を変更使用できるようにしてあることを特徴とする請求項１記載の感圧転写具。
【請求項４】
転写ヘッドの支軸を断面四角形に形成し、この断面四角形の支軸に対する軸保持部を感圧用ヘッドに形成し、断面四角形の支軸を９０°又はその倍数角を転位可能に設けてあり、転写ヘッドには転位位置に幅の異なる転写部を複数設けてあって、転位可能なように構成してあることを特徴とする請求項１記載の感圧転写具。
【請求項５】
転写部の幅が、テープ通過部の幅の１／８〜３／４であることを特徴とする請求項１〜４の何れかに記載の感圧転写具。
【請求項６】
感圧用ヘッドには、両側部に翼状補強片が形成され、翼状補強片の先端は中央のテープ通過部より前方に突出しており、感圧用の転写部の先端は、翼状補強片の先端より前方に突出していることを特徴とする請求項１〜５の何れかに記載の感圧転写具。
【請求項７】
転写部が転写へッドの幅方向中央に設けられている請求項１〜６の何れかに記載の感圧転写具。
【発明の詳細な説明】
【０００１】
【発明の属する技術分野】
本発明は、感圧転写具に関し、より詳しくは転写部を有する転写ヘッドを着脱式にすると共に、細かい部分に感圧転写層を転写することができる感圧転写具に関する。
【０００２】
【従来の技術および発明が解決しようとする課題】
従来より、印刷物等の作成文書の特定部分を消去して訂正するのに、白色による有色転写層を転写させる消去用転写テープが用いられている。また、学生等が暗記作業を効率的に行うために、暗記すべき部分をマーカーで着色することが行われており、このマーカーで着色する代わりに透明な赤色や緑色等による着色転写層を転写させるマーカー用テープが用いられることもある。さらには、スティック状の糊を所定部分に付ける代わりに、粘着層を転写せさる、いわゆる粘着層転写テープが用いられることもある。
【０００３】
これらの消去用転写テープ、マーカー用転写テープ、粘着層転写テープなどを印刷物等に容易に転写することのできる転写具は、たとえば実開平６−３２４４６号公報や特願平７−３３７４４６号として提案されている。
しかしながら、現状の転写具としては、殆どが４ｍｍ以上の幅で転写を行うものであって、細かい部分への転写が不可能なものであり、例えば、消去目的では８ポイント以下の文字の訂正等は極めて困難であった。
【０００４】
そのため、上記転写具においては、例えば８ポイント以下の細かい文字上に消去用転写テープ、マーカー用転写テープの転写層を転写したり、例えば幅２ｍｍ以下の部分に粘着層転写テープの転写層を転写することが要望されている。
さらに、細かい部分に対する転写部が摩擦したり破損したりした場合に、転写テープが残存している感圧転写具全体を廃棄することが不経済なため、転写部が交換できるようなものが要望されることが予想されるし、また、転写部の幅を被転写側の状況に応じて変えられるものが要望されることも予想される。
【０００５】
特に、後者の要望を予測した提案として、実開平６−６８８９３号公報に記載された感圧転写具もあるが、当該考案によるものは、感圧用ヘッドにおける先端部の上下位置に幅の異なる複数の突出部を形成したものゆえ、転写に使用する突出部を変える場合、転写具の器体傾斜方向を逆にして（同公報の図１と図２参照）使用せねばならないという使い難さが生じ、さらなる改良が望まれていた。
【０００６】
本発明においては、上記した要望に適応できるような感圧転写具を提供することを目的としている。
【０００７】
【課題を解決するための手段】
上記目的を達成できる本発明による感圧転写具としては、請求項１に記載したように、基材テープ上に転写層を設けた転写テープと、この転写テープを巻いた供給リールと、この供給リールより供給される転写テープをテープ通過部に通して、転写テープのうち、上記転写層を基材テープから剥離しながら被転写材へ転写させる感圧用ヘッドと、転写使用後に残った基材テープを巻き取る巻取リールとを器体に装備してある感圧転写具において、感圧用ヘッドにはヘッド先端から突出できる感圧用の転写ヘッドを着脱自在に設けてあり、転写ヘッドの転写部の幅を感圧用ヘッドのテープ通過部の幅より小さく形成してあるとともに、感圧用ヘッドの器体への保持部にはリブ状の安定部材を突設してあることを特徴としている。
【０００８】
上記請求項１記載の感圧転写具によると、感圧用ヘッドには転写ヘッドを着脱自在に設けているので、転写ヘッドが摩擦や破損した場合の交換は勿論のこと、請求項２に記載したように転写幅の異なる転写ヘッドとの交換が自在となる利点がある。しかも、感圧用ヘッドの先端に突出形成した感圧用の転写部の幅としては、感圧用ヘッドのテープ通過部の幅よりも小さく形成されているので、細幅の転写層を被転写材へ転写することができるようになる。さらに、感圧用ヘッドの保持部にはリブ状の安定部材を突設してあるため、保持部を増強することができる。
【０００９】
また、本発明は請求項３に記載したように、転写ヘッドには、両端に幅の異なる感圧用の転写部が複数形成されていて転写部を変更使用できるようにしてあると、転写ヘッドの前後を変更させて着装することで、異なる幅の転写部に変更できることになる。
さらに、請求項４に記載したように、転写ヘッドの支軸を断面四角形に形成し、この断面四角形の支軸に対する軸保持部を感圧用ヘッドに形成し、断面四角形の支軸を９０°又はその倍数角を転位可能に設けてあり、転写ヘッドには転位位置に幅の異なる転写部を複数設けてあって、転位可能なように構成してあることを特徴とすると、転写ヘッドの断面四角形の支軸を感圧用ヘッドの軸保持部から一旦抜脱して、９０°又はその倍数角を転位させて再度軸保持部へ着装すると、幅の異なる転写部に変換できるもので、転写部のうち、所望幅のものを選択使用できることになる。
【００１０】
また、本発明は請求項５に記載したように、転写部の幅がテープ通過部の幅（約５〜６ｍｍ）の１／８〜３／４であることが好ましいもので、上記１／８より未満の幅では狭すぎて転写部の製造が困難であり、上記３／４よりも広くなると、転写部をあえて設置する意義が薄れてしまうからである。
さらに本発明では、請求項６に記載したように、感圧用ヘッドには、両側部に翼状補強片が形成され、翼状補強片の先端は中央のテープ通過部より前方に突出しており、感圧用の転写部の先端は、翼状補強片の先端より前方に突出していることを特徴とするものであり、この請求項６記載のものによると、テープ通過部よりその先端が突出した翼状補強片にて転写テープの位置を確実に規制できて、転写テープが軌道から外れ難くなり、しかも転写部の先端は翼状補強片の先端より前方に突出しているので、転写時には細かい部分に対しても、確実な転写が実現できることになる。
【００１１】
特に、本発明においては、請求項７に記載したように、転写部が転写ヘッドのの幅方向中央に設けられている場合には、転写テープが蛇行することなく、確実に所定の位置に転写を行うことができる。
【００１２】
【発明の実施の形態】
次いで本発明の実施形態について、順次図を参照しながら以下に説明する。
図１および図２は、感圧転写具の全体図を示しており、図３には感圧用ヘッドを示し、図４および図５には、感圧用ヘッドの器体への装填状態の詳細を示してある。図中１は感圧転写具の器体であって、プラスチック成形された半割体１ａ，１ｂを長手方向で合致させて形成されてあり（図２参照）、図示しないが互いの凹凸部による嵌合によるものであり、内部透視できるように双方を透明体にするか一方を透明体にして形成されている。この器体１の全体形状としては、先端側を細長い形状にしてペンタイプとして片手で把持使用できるような形状の把持部１１として形成してあり、把持部１１から後続する部分１２は、転写テープＴの装填部分となるようスペースを広く形成してある。
【００１３】
上記感圧転写具の器体１には、基材テープＴ1 の上に転写層Ｔ2 を設けた転写テープＴを装備するもので、具体的には、転写テープＴを巻いた供給リール２、供給リール２より供給される転写テープＴのうち、転写層Ｔ2 を基材テープＴ1 から剥離しながら被転写材Ａへ転写するために転写テープＴを通過させるテープ通過部３１を含む感圧用ヘッド３、転写使用後に残った基材テープＴ1 を巻き取る巻取リール４が備えられている。供給リール２と巻取リール４とは連動して回転するよう供給リール２側のギアＧ1 と巻取リール４側のギアＧ2 とを噛み合わせている。なお、図１には図示していないが、供給リール２にはブレーキ機構を装備していて、転写テープＴは送り方向のみに回転されるように構成されている。
【００１４】
上記の構成により、供給リール２から繰り出される転写テープＴは、ガイドピンＰ1 ，Ｐ2 を介して、器体１の開口１３から外部へ出て、感圧用ヘッド３のテープ通過部３１に接して転写層Ｔ2 の転写後、残った基材テープＴ1 は折り返して、開口１３より器体１内に戻り、ガイドピンＰ3 を介して巻取リール４に巻き取られる。
【００１５】
次に、器体１の先端に設置してある前記した感圧用ヘッド３について、その形状の詳細を図３により説明すると、器体１の外側に位置させるテープ通過部３１と器体１内に装填させる板状の保持部３２とからなっていて、感圧用ヘッド３の先端となる部分には感圧用の転写ヘッド４０が着脱自在に設けられている。従って、同じ幅の転写部４１を有する転写ヘッド４０については、転写部４１の摩擦や損傷後に転写ヘッド４０を交換できることになる。さらに図示したものについて詳しく述べると、テープ通過部３１の先端には、感圧用の転写ヘッド４０が保持される嵌入部３７が形成されてあり、この嵌入部３７の両側には保持溝３８，３８が形成されていて、転写ヘッド４０には、上記保持溝３８，３８に嵌入できる突条４８，４８を形成してあり、転写幅の異なる複数個の転写ヘッド、図では２個のうち何れかの転写ヘッド４０を嵌入部３７に着装して使用すればよい。転写ヘッド４０の先端に突出形成した転写部４１の幅ｄ又はｄ′をテープ通過部３１の幅Ｄよりも小さく形成してある。具体的には、テープ通過部３１の幅Ｄの１／８〜３／４の範囲内の幅で形成するのが好ましく、転写部４１の下端は、断面直角よりもアール形状に形成しておく方が感圧転写し易くて好ましい。
【００１６】
さらに、上記した保持部３２の上下面には長手方向に延びるリブ状の安定部材３３，３３を突設してあり、テープ通過部３１の両側部には一対の、図では三角形状をしたガイド用の翼状補強片３４，３４を形成し、翼状補強片３４，３４の先端は中央のテープ通過部３１より前方に突出しており、感圧用の転写部４１の先端は、翼状補強片３４，３４の先端より前方へ突出していて、転写テープが軌道から外れ難くすることと、細かい部分への転写を行い易くしている。さらに、上記保持部３２には、装填側先端の両側面に第１の突起３５，３５とテープ通過部３１との境界付近に第２の突起３６，３６とを形成し、後述する器体１への装填についての安定化を図るための構造を採用している。
【００１７】
上記した感圧用ヘッド３の器体１への装填状態を図４と図５を参照して説明すると、器体１の半割体１ａ，１ｂ間に感圧用ヘッド３が位置できるよう器体１の開口部１３から内方位置へ板状の保持部３２が装填されてあり、器体１の半割体１ａ，１ｂの一方側面から他方半割体へ向けて２枚の挟持板１４，１４が長く突設されていて、その挟持板１４，１４の間に感圧用ヘッド３の装填側となる板状の保持部３２の一部を挟装し、上下の移動を防いでおり（図４参照）、リブ状の安定部材３３の後端は、挟持板１４，１４の前端１４ａと当接するようにし、第１の突起３５，３５と第２の突起３６，３６の間には、器体１の各半割体１ａ，１ｂの側方から短く突設された係合板１５，１５を挟むことにより、前後への移動を防いでいる（図５参照）。なお、１６，１６は器体１の先端を補強するリブを示している。
【００１８】
なお、感圧用ヘッド３における板状の保持部３２に突設してあるリブ状の安定部材３３については、図示した実施例のように保持部３２の上下面に突設されるほか、上下面一方でもよい。
【００１９】
さらに実施形態の変更例としては、図６の転写ヘッド４０のように、両端に幅ｄ1 ，ｄ2 の異なる感圧用の転写部４１，４１′が突出形成されていて、転写部４１，４１′について使用する側を先端になるようテープ通過部３１の嵌入部３７に転写ヘッド４０を嵌入すればよいものである。図中３７′は使用しない転写部に対する挿入部を示している。
【００２０】
さらに、図７の転写ヘッド４０の場合には、全体をローラ状に形成し、転写ヘッド４０の支軸４２，４２を断面四角形に形成し、この断面四角形の支軸４２，４２に対する軸保持部３９，３９を感圧用ヘッド３におけるテープ通過部３１の先端に形成し、断面四角形の支軸４２を９０°又はその倍数角を回動させて転位可能にしておき、転写ヘッド４０には、転位位置に幅の異なる転写部４１ａ，４１ｂ，４１ｃ，４１ｄを複数形成して必要に応じて転位できるようにしている。図中３７ａは転写ヘッド４０の挿入部を示している。
【００２１】
例えば
転写部４１ａ……１．０ｍｍ
転写部４１ｂ……１．５ｍｍ
転写部４１ｃ……２．０ｍｍ
転写部４１ｄ……２．５ｍｍ
のごとく、複数（２箇所ないし３箇所でも可）の転写部を作成して、目的に応じた幅の転写部を使用転写部として転写に用いることができる。図７のローラ状転写ヘッド４０に代えて、角形等多角形の転写ヘッド（図示せず）に形成しても使用可能である。
【００２２】
なお、上記した実施態様の各転写部としては、転写ヘッド４０の中央即ちテープ通過部３１の幅Ｄに対して中央に配置されるよう設けられているので、転写テープＴが蛇行することなく、確実に所定位置へ転写することができる。
上記各図に示した感圧転写具は、器体１をたとえばペンを持つように６０°〜８０°の起上状態にして片手で把持し、すなわち把持部１１側面に人差し指、中指および親指をそれぞれ当てがい、感圧用ヘッド３の先端から突出した感圧用の転写ヘッド４０における細幅の転写部４１（４１′：４１ａ，４１ｂ…の場合あり）を被転写材Ａ上に感圧しながら移行させてやると（図１の白矢印参照）、転写テープＴの転写層のうち、感圧用の転写部４１の細幅に対応した転写層Ｔ2だけが剥がされて被転写材Ａへと転写される。
【００２３】
なお、感圧用ヘッド３の保持部３２に突設されているリブ状の安定部材３３は、保持部３２の一面または両面に複数本突設されていてもよい。安定部材３３が複数本突設されると、保持部３２をより一層強固にすることができ、ひいてはテープ通過部３１に対する安定保持を強化できることになる。
また、転写層Ｔ2は、印刷物等の作成文書のうち８ポイント以下の文字や図面の線等の特定部分を消去して訂正するための消去用テープに用いられる白色の着色転写層であってもよいし、学生等が暗記作業を行うために暗記すべき細かい文字や図形、符号部分を強調するための着色転写用テープ（マーカー用テープ）で用いられる赤色や緑色の着色転写層であってもよい。さらには、細かい部分に対しての粘着層転写テープで用いられる粘着層であってもよい。
【００２４】
本実施形態の説明は以上であるが、本発明は上記の実施形態に限られるものではなく、その他、特許請求の範囲に記載された技術的事項の範囲で、種々の変更を施すことが可能である。
【００２５】
以上のように、本発明によれば、器体の先端に設置される感圧用ヘッドには、先端から突出できる転写ヘッドを着脱自在に設けてあるので、転写ヘッドの転写部が摩擦したり破損した場合には交換でき、転写テープを完了するまで使用することができる利点があるほか、転写ヘッドが着脱自在なゆえ転写部として幅の異なるものに交換しての使用が可能となり、１つの転写具にて被転写材に応じた多様な使用が実現できることになる。しかもこの転写部の幅は、テープ通過部の幅よりも小さなものゆえ、細い幅による転写が簡単且つ確実に行えることになる。さらに、感圧用ヘッドの保持部にはリブ状の安定部材を突設してあるため、保持部を増強し、ひいてはテープ通過部に対する安定保持を強化することができる。
【図面の簡単な説明】
【図１】この発明の一実施形態にかかる感圧転写具の全体構成を示す側面図である。
【図２】図１に対する正面図である。
【図３】感圧用ヘッドと転写ヘッドを示す斜視図である。
【図４】感圧用ヘッドの器体に対する装填状態を説明するための側面図である。
【図５】（ａ）（ｂ）は、転写ヘッドを変換した場合を例示した前図Ｖ−Ｖにて器体側のみを断面で示す平面図である。
【図６】転写ヘッドの変更例を感圧用ヘッドと共に示した斜視図である。
【図７】転写ヘッドの転写部を転位式にした変更例を感圧用ヘッドと共に示した斜視図である。
【符号の説明】
１    器体
２    供給リール
３    感圧用ヘッド
４    巻取リール
３１  テープ通過部
Ｄ    テープ通過部の幅
３２  保持部
３３  安定部材
３４  翼状補強片
３７  嵌入部
３８，３８  保持溝
３９  軸保持部
４０  転写ヘッド
４１  転写部
４２  支軸
４８，４８  突条
ｄ    転写部の幅
Ｔ    転写テープ
Ｔ1  基材テープ
Ｔ2  転写層
【図１】
0003698850.tif 000002
【図２】
0003698850.tif 000003
【図３】
0003698850.tif 000004
【図４】
0003698850.tif 000005
【図５】
0003698850.tif 000006
【図６】
0003698850.tif 000007
【図７】
0003698850.tif 000008